(57)【特許請求の範囲】
【請求項１】
回転駆動により冷却風を生成するファンと、
このファンを収容し、冷却風を吐出する吐出口を有するファンケースと、
このファンケースの前記吐出口に冷却風流入口が対向配置された熱交換器と、
この熱交換器及び前記ファンケースの吐出口間に設けられ、一端が支点に固定され、前記熱交換器の冷却風流入口の端面に沿って張架されたワイヤと、
このワイヤの他端を前記支点の周りに回動させるワイヤ駆動手段と、
を備えたことを特徴とする冷却装置。
【請求項２】
前記ワイヤに振動を与える振動励起手段がこのワイヤに取り付けられたことを特徴とする請求項１記載の冷却装置。
【請求項３】
前記ワイヤ駆動手段は、凹凸部が形成された可動部材と、前記ワイヤをこの可動部材に接触させてこのワイヤを回動させるワイヤ駆動機構部とを有し、
前記ワイヤがこの可動部材の前記凹凸部に接触するごとにワイヤ自身へ振動が伝達されることを特徴とする請求項１記載の冷却装置。
【請求項４】
前記ワイヤを芯材としこのワイヤに植毛された毛材からなるブラシが設けられたことを特徴とする請求項１記載の冷却装置。
【請求項５】
排気口が設けられた側壁を有する筐体と、
この筐体内に設けられ、回転駆動により冷却風を生成するファンと、
前記筐体内に設けられ、このファンを収容し、冷却風を吐出する吐出口を有するファンケースと、
前記排気口に近接するとともに、このファンケースの前記吐出口に冷却風流入口が対向配置された熱交換器と、
前記筐体内で、この熱交換器及び前記ファンケースの吐出口間に設けられ、一端が支点に固定され、前記熱交換器の冷却風流入口の端面に沿って張架されたワイヤと、
このワイヤの他端を前記支点の周りに回動させるワイヤ駆動手段と、
を備えたことを特徴とする冷却装置を有する電子機器。
【請求項６】
前記ワイヤ駆動手段は、ディスプレイハウジング及び前記筐体を開閉自在に連結するヒンジ部と、一端がこのヒンジ部に連結された線材とからなり、
この線材が前記ヒンジ部により巻上げられること及び巻戻されることと連動して前記ワイヤが回動することを特徴とする請求項５記載の冷却装置を有する電子機器。
【請求項７】
前記熱交換器の冷却性能の低下を検知する検知手段が更に設けられて、前記ワイヤ駆動手段は、この検知手段が冷却性能の低下のワーニングを出力したタイミングで前記ワイヤを動かすことを特徴とする請求項５記載の冷却装置を有する電子機器。
【請求項８】
前記ワイヤ駆動手段は、当該電子機器の電源のオンあるいはオフの時に前記ワイヤを動かすことを特徴とする請求項５記載の冷却装置を有する電子機器。
【請求項９】
前記ワイヤはその一端が前記筐体に搭載されたスピーカに枢支されて、このスピーカの振動をこのワイヤへ伝達することにより、このワイヤに振動を励起し、あるいはこれらのスピーカ及びワイヤが同じ共振周波数で振動することを特徴とする請求項５記載の冷却装置を有する電子機器。
【発明の詳細な説明】
【技術分野】
【０００１】
本発明は冷却装置及び冷却装置を有する電子機器に関する。
【背景技術】
【０００２】
電子機器の発熱部を冷却する冷却装置として、発熱部に熱的に接続される受熱部（ヒートスプレッダ）と、この受熱部に一端部が接続された熱輸送手段（ヒートパイプ）と、この熱輸送手段の他端部に設けられた熱交換部（冷却フィン）と、この熱交換部を冷却するための送風手段（空冷ファン）とから構成される機構が活用されている。
【０００３】
ノート型パソコン等の電子機器は半導体パッケージを冷却する冷却装置を筐体内に収容している。この冷却装置は、ヒートスプレッダ、ヒートパイプ、熱交換部及びファンユニットから構成されている。この熱交換部は、それぞれ貫通穴が形成されて数ミリ程度の間隔で積層配置された複数枚の薄板状のフィンを有する。ヒートパイプの放熱端部は、これらのフィンの貫通穴に挿通されており、各フィンに熱的に接続されている。ファンユニットは、吸気口及び吐出口を有するファンケースと、このファンケース内に収容されモータによって回転駆動されるファンとを有する。ファンが回転することにより、ファンユニットはこのファンの軸方向から吸い込みした空気を回転の遠心方向へ排出する。
【０００４】
ファンケースの内部から熱交換部を正対視すると、この熱交換部は、各フィンの端縁部が立設し水平方向多層に整列しているような外観を呈する。熱交換部とファンユニットとを上面視した場合のこれらと送風風通路との位置関係を図２６に示す。熱交換部９０では、各フィン９１が、これらのフィン９１の配列方向に沿ってファン外周部９２の側方に位置している。ファンユニット９３のファンケース９４内にはファン外周部９２から水平面上回転の遠心方向へ空気が吹き出されるようにした送風通路が形成されている。この送風通路からの冷却風の吐出口９５はフィン９１の空気流入側の各端縁部９６に開口している。これらのフィン９１のうち、図中右側に位置する２枚のフィン９１の間の間隙を流れる空気流の流速は、左側に位置する２枚のフィン９１の間の間隙を流れる空気流の流速よりも大きい。冷却風に含まれる埃は、右側にあるフィン９１の端縁部９６に付着しやすい。この塵埃の溜まり易い箇所９７は、各端縁部９６を含む面内でこの面をファンユニット９３から熱交換部９０を見た場合、その面の右側に位置する。塵埃はこの箇所９７より溜まり始める。電子機器の冷却装置の付近においては、使用中に塵埃が溜まり、塵埃が空気の流路を閉塞して、機器の冷却性能が低下する場合がある。
【０００５】
また、ノート型パソコンでは筐体の厚みを抑える必要がある。基板上に冷却装置を設けた状態におけるこの冷却装置の設置寸法は筐体の厚みにより制限される。冷却ファンや熱交換部の寸法はその高さやユニット高さが、筐体の厚み方向に小さくなるようにして決められる。従来、小形・軽量化の要請を満たしたうえで、性能効率の向上に寄与するように熱制御効率の高効率化の促進を図った電子機器が知られている（特許文献１参照）。
【特許文献１】特許第３３０２３５０号明細書
【発明の開示】
【発明が解決しようとする課題】
【０００６】
しかしながら、ノート型パソコンでは、筐体内部のスペースが非常に限られており、筐体の厚みが制限される。図２６の例では、各フィン９１の端縁部９６に付着した埃を除去するための装置を熱交換部９０及びファンユニット９３間に設けることは、筐体のスペースが狭いこと、及び冷却風通路が遮られて通風抵抗が大きくなることから困難である。
【０００７】
そこで本発明は、上記の課題に鑑み、遠心ファンの回転により、被冷却部品の冷却風吐出口に臨む部位に偏って付着した塵埃を、筐体内でスペースをとらず、かつ冷却風通路を遮らずに設けられた塵埃除去用の機構を用いて除去することができる冷却装置及びこの冷却装置を有する電子機器を提供することを目的とする。
【課題を解決するための手段】
【０００８】
このような課題を解決するため、本発明の一態様によれば、回転駆動により冷却風を生成するファンと、このファンを収容し、冷却風を吐出する吐出口を有するファンケースと、このファンケースの前記吐出口に冷却風流入口が対向配置された熱交換器と、この熱交換器及び前記ファンケースの吐出口間に設けられ、一端が支点に固定され、前記熱交換器の冷却風流入口の端面に沿って張架されたワイヤと、このワイヤの他端を前記支点の周りに回動させるワイヤ駆動手段と、を備えたことを特徴とする冷却装置が提供される。
【０００９】
また、本発明の別の一態様によれば、排気口が設けられた側壁を有する筐体と、この筐体内に設けられ、回転駆動により冷却風を生成するファンと、前記筐体内に設けられ、このファンを収容し、冷却風を吐出する吐出口を有するファンケースと、前記排気口に近接するとともに、このファンケースの前記吐出口に冷却風流入口が対向配置された熱交換器と、前記筐体内で、この熱交換器及び前記ファンケースの吐出口間に設けられ、一端が支点に固定され、前記熱交換器の冷却風流入口の端面に沿って張架されたワイヤと、このワイヤの他端を前記支点の周りに回動させるワイヤ駆動手段と、を備えたことを特徴とする冷却装置を有する電子機器が提供される。
【発明の効果】
【００１０】
本発明の冷却装置によれば、塵埃を除去する機構を筐体内でスペースをとらず、かつ冷却風通路を遮らないようにして配置することができ、この機構を用いて、遠心式ファンにより被冷却部品の冷却風吐出口に臨む部位に偏って付着する塵埃を除去することができるようになる。本発明の冷却装置を有する電子機器によれば、冷却性能の低下を防止できるようになる。
【発明を実施するための最良の形態】
【００１１】
以下、本発明の実施の形態に係る冷却装置及び冷却装置を有する電子機器について、図１乃至図２５を参照しながら説明する。尚、各図において同一箇所については同一の符号を付すとともに、重複した説明は省略する。
【００１２】
（第１の実施形態）
本発明の第１の実施形態に係る冷却装置は、電子機器の内部に設けられて、この電子機器内の発熱部に対して冷却風を送風しこの冷却風を電子機器の外部へ排出することによって、強制的に放熱を行うものである。この冷却装置は、半導体パッケージに熱的に接続されるヒートスプレッダと、このヒートスプレッダに一端部が伝熱可能に接続されたヒートパイプと、このヒートパイプの他端部に設けられてヒートパイプにより移送されるヒートスプレッダの熱を受ける複数枚のフィンを有する熱交換部と、これらのフィンを冷却するための空冷ファンと、この空冷ファンから複数枚のフィンへ送風される冷却風によってこれらのフィンに付着する塵埃を除去する塵埃除去機構とを備えている。この塵埃除去機構はワイヤとこのワイヤを駆動するワイヤ駆動手段とからなる。本実施形態に係る冷却装置を有する電子機器はこの冷却装置を有するノート型パソコンである。
【００１３】
図１はノート型パソコン内に設けられる塵埃除去機構の正面方向の斜視図であり、同図には、キーボードやパームレストが取り払われた状態の筐体内部が示されている。１１はヒートパイプであり図示しないヒートスプレッダに接続されている。１６は熱交換器としての熱交換部であり、２２は空冷用のファンユニットを表す。２７は熱交換部１６及びファンユニット２２の間に配された塵埃除去機構である。これらのヒートスプレッダ、ヒートパイプ１１、熱交換部１６、ファンユニット２２及び塵埃除去機構２７によって、塵埃除去機構付きの冷却装置が構成されている。
【００１４】
電子機器１は、コンピュータ本体を収容する箱型状の筐体２と、この筐体２に支持されたディスプレイハウジング３、及びこのディスプレイハウジング３に収容されたディスプレイ４からなるディスプレイユニット５とを有する。ディスプレイハウジング３は、筐体２の上壁に、一対のヒンジ部６を介して回動可能に連結されている。
【００１５】
図２は冷却装置と基板上の半導体パッケージが設けられる部分との斜視図であり、塵埃除去機構２７が取り払われた状態の筐体２内部が示されている。筐体２に収容されたプリント基板７上には発熱部品である半導体パッケージ８が設けられる。この半導体パッケージ８は、マイクロプロセッサを構成するものであり、発熱量の大きい発熱体であるＩＣチップを有する。ヒートスプレッダ９は矩形板状に形成された金属部材であり、接着あるいは接合により半導体パッケージ８と一体化されている。このヒートスプレッダ９の一側面、即ち上側の面の中央部には溝１０が開口形成されており、この溝１０にはヒートパイプ１１の一端部が嵌合され、カシメ付けられている。
【００１６】
ヒートスプレッダ９の一側面側には、このヒートスプレッダ９を、ヒートパイプ１１が介在した状態でプリント基板７へ押圧するための矩形状の押さえ板１２が取り付けられている。この押さえ板１２はその四隅にそれぞれ板バネ部１３が形成されている。４つの板バネ部１３は、その先端部がプリント基板７に設けられた支持部１４にネジ穴１５を介してネジ止めされている。これらの板バネ部１３は弾性変形した状態でプリント基板７に固定されている。この押さえ板１２の板バネ機構によって、押さえ板１２がヒートスプレッダ９を弾性的に押圧し、ヒートスプレッダ９の他側面がプリント基板７上の半導体パッケージ８に密着する。押さえ板１２がヒートパイプ１１及びヒートスプレッダ９を押圧するようにして伝熱効果が高められるようになっている。
【００１７】
また、ヒートパイプ１１の別の端部には熱交換部１６が設けられている。この熱交換部１６は数ミリ程度の間隔で積層配置された複数枚のフィン１７を有し、これらのフィン１７に形成された貫通穴にヒートパイプ１１の別の端部が貫通している。この熱交換部１６はケース１８内に収容されている。このケース１８の筐体２側は開口しており、開口部１９は筐体側面部２０に形成された排気口２１に対向している。
【００１８】
熱交換部１６と向かい会うようにして、複数枚のフィン１７が位置しない空隙が設けられており、この空隙を空けて、ファンユニット２２が筐体２内に配置されている。このファンユニット２２はファンの回転駆動により冷却風を生成する冷却モジュールである。ファンユニット２２は、回転軸方向が垂直方向になるように支持されたファン２３を収容している。このファン２３が回転することにより、ファンユニット２２は上下方向から吸気した空気を回転の遠心方向に排気する。ファンケース２４は、底板、天板及び側壁からなり、これらの板や壁によってファン２３の外周部の側方に沿って冷却風を各フィン１７の端縁部へと導く送風通路が形成されている。ファンケース２４は、隙間を介して、各フィン１７の端縁部と対向している。冷却風の上流側にファンユニット２２が位置し、冷却風の下流側に熱交換部１６が位置しており、このファンユニット２２の吐出口の近傍２５を空気が流れる。この吐出口はフィン１７の配列方向に沿った熱交換部１６の全長と同じ程度の長辺を持つ略矩形の開口形状を有する。隣接する２枚のフィン１７の間の間隙は冷却風の流路となり、この流路に沿ったそれぞれのフィン１７の一方の端縁部は空気の流入部となり、他方の端縁部が空気の排出部となる。
【００１９】
これにより、冷却風はファンケース２４の内側の壁面、底面及び天井面に沿って誘導されて、吐出口を介し、フィン１７の間の間隙を流れる。冷却風がこの間隙を通り抜ける間に冷却風とフィン１７とで熱交換が行われて冷却風は受熱するようになっている。また、ヒートスプレッダ９を介してヒートパイプ１１の一端部から他端部に移送された半導体パッケージ８の熱は熱交換部１６から排気口２１を通じて筐体２の外部に排出されるようになっている。
【００２０】
遠心式のファン２３の回転により、ファンケース２４内に形成された送風経路を、塵埃は遠心力を受けて運ばれるため、塵埃はこのファンケース２４の内壁に沿って吐出口に集まる。ファンユニット２２のファン２３の回転方向が上面視して反時計回りである場合、塵埃はファンケース２４の吐出口端面上この端面の一方の外側、即ちヒンジ部６に近い縁側に寄る。ファンユニット２２から各フィン１７を見て右側に位置する複数のフィン１７の各端縁部に塵埃は溜まりやすい。図１の２６はこの塵埃が溜まりやすい箇所を表している。回転の遠心方向に冷却風は送風通路内を導かれるため、吐出口端面上この端面の外側を流れる空気流の流速は、同じ端面上の内側を流れる空気流の流速よりも大きい。吐出口端面上この端面の外側での塵埃の存在確率は高い。従って、フィン１７の配列方向基端側（図１の手前側）と配列方向先端側（同図の奥側）とのうち、この配列方向先端側に位置する各フィン１７の端縁部側から塵埃は溜まり始める。塵埃除去機構２７は、この箇所２６に偏って付着する塵埃を除去するようにしている。
【００２１】
図３は塵埃除去機構２７の構成図であり、ファンユニット２２から熱交換部１６を見たこの塵埃除去機構２７の矢視図である。図３に示される符号のうち上述した符号と同じ符号を有する要素はそれらと同じ要素を表す。薄板が何枚も平行垂直に立っているため、フィン１７は外観略櫛形を呈する。この塵埃除去機構２７は、複数枚のフィン１７の各端縁を含む面内において各フィン１７の配列方向の先端側（図３の右側）に設けられた第１固定部２８と、同じ面内で配列方向基端側（同図の左側）に設けられた第２固定部２９と、一端がこの第１固定部２８に止着されるとともに他端がこの第２固定部２９に止着されたワイヤ３０と、同じ面内で配列方向先端側に設けられて、このワイヤ３０が掛け渡される第１ローラ３１とを備えている。
【００２２】
第１固定部２８はワイヤ止着用の部材である。一例として、この部材が筐体２と一体的に形成されて成るか、あるいは筐体２の上壁面の突設部や筐体２の側壁面に設けられたボス部などに取り付けられている。第２固定部２９もワイヤ止着用の部材であり、一例として、筐体２又はプリント基板７に固定されている。ワイヤ３０の第１固定部２８の側には螺旋状に巻かれた部位によりバネ部３２が形成されている。ワイヤ３０は金属製ワイヤであり、ピアノ線やガラス繊維の材質を用いても良い。第１ローラ３１はワイヤ３０を走行自在に巻掛けるための部材であり、このワイヤ３０を巻掛けてこれに張力を与えている。第１ローラ３１には、フィン１７の端縁を含む面に直交する回転軸を持つ棒状のローラ部材が用いられる。第１ローラ３１にはこの面に直交する回転軸を持つ滑車が用いられてもよい。
【００２３】
更に塵埃除去機構２７は、フィン１７の端縁を含む面内で第１ローラ３１の左方に設けられて上下方向２箇所の位置に亘って可動にされた第２ローラ３３と、第２ローラ３３を支承しこの第２ローラ３３を上方の位置と下方の位置との間で上下動させる板材３４とを備えている。第２ローラ３３は棒状のローラ部材や滑車が用いられる。板材３４は第２ローラ３３の下部に装着される。また、この板材３４を昇降させ、あるいは板材３４を上下方向に摺動させる図示しない昇降機構あるいは摺動機構も筐体２内に設けられる。昇降機構や摺動機構には例えば小型モータや、スライダ及びスライダ受け部材等の動力伝達機構が用いられる。昇降機構又は摺動機構と、板材３４と、第２ローラ３３とによってワイヤ駆動手段が構成される。プロセッサ、ＲＯＭ、ＲＡＭ等からなる図示しない制御手段も設けられている。この制御手段はワイヤ駆動手段によるワイヤ３０の駆動を制御する。
【００２４】
本実施形態に係る冷却装置では、この駆動手段により第２ローラ３３は各フィン１７の端縁部を含む面上でこれらの端縁部に対して上方の位置と下方の位置とに亘って移動可能にされている。この第２ローラ３３の外周面にはワイヤ３０が接触しており、この外周面は第２固定部２９及び第１ローラ３１の間にあるワイヤ３０の中間部位３５に対し、バネ部３２の変形による弾性力とワイヤ３０の張力とに抗する付勢力を与える。このワイヤ３０の中間部位３５を力点としワイヤ３０の他端を支点とした状態で、この中間部位３５が押上げられることにより、このワイヤ３５の途中の部位が、フィン１７の端縁部側に付着する塵埃を掻き落とすようにされている。つまり、熱交換部１６の表面もしくは近傍に、塵埃を除去するための部材としてのワイヤ３０が設けられており、このワイヤ３０の途中の部位が各端縁部に作用することにより、埃塵が除去される。
【００２５】
このような構成の本実施形態に係る冷却装置では、制御手段が駆動手段へ動作開始を指令する信号を通知すると、塵埃除去機構２７は、その作動を開始する。図４は本実施形態に係る冷却装置の塵埃除去機構２７の作動のタイミングを説明するためのフローチャートである。最初に板材３４は下方に位置しているものとする。ステップＳ１において、制御手段は、コンピュータ本体の電源が投入されたこと、図示しない作動ボタン類がユーザにより押下されたこと、あるいは電子機器の状態が保守時の状態にされたこと、が生じたかどうかを監視し続けている（ＮＯルート）。
【００２６】
このステップＳ１において、制御手段が、コンピュータ本体の電源がオンにされたこと、作動ボタン類が押下されたこと、あるいは電子機器が保守時の状態であることを検知した場合、ＹＥＳルートを通り、ステップＳ２において、制御手段は、昇降機構あるいは摺動機構へ動作開始信号を通知する。ステップＳ３において、板材３４は駆動手段により駆動されてワイヤ３０が巻掛けられた状態で上昇を開始する。板材３４が上昇している最中、バネ部３２が徐々に延びる。ワイヤ３０の中間部位３５には右方にバネ部３２による復元力と張力とがかかり、左方に張力がかかる。ワイヤ３０がその他端を支点とし、中間部位３５を力点とした状態で、中間部位３５が押上げられて、これと連動して、ワイヤ３０の途中の部位が、フィン１７の端縁部側を撫でるようにして塵埃を掻く。
【００２７】
昇降機構あるいは摺動機構のストロークエンドまで板材３４が上昇した後、この板材３４は停止する。ステップＳ４にて板材３４は駆動されて下降を開始する。この板材３４が下降している最中、バネ部３２が縮小変形することにともなって、中間部位３５に右方からかかる復元力は徐々に小さくなる。ワイヤ３０はその他端を支点とし、その中間部位３５を力点とした状態で、中間部位３５が押下げられて、ワイヤ３０の途中の部位が各端縁部に作用し、ワイヤ３０はフィン１７の端縁部に付着した塵埃を掻く。このように、ワイヤ３０の途中の部位が上下往復駆動されるため、ワイヤ３０が各フィン１７の端縁部を掃き、ここに付着あるいは溜まった塵埃が掃き取られる。従って、各端縁部を含む面上において、これらの支点及び力点を結ぶ線と、各フィン１７の端縁部の下端を結ぶ線と、最も右に位置するフィン１７の端縁とによって覆われる略三角形の領域に付着した塵埃が除去されるようになる。換言すれば、ワイヤ３０が最も変位可能な領域に、吐出口からの埃が溜まる場所が位置している。
【００２８】
以上のように、本実施形態に係る冷却装置では、ワイヤ駆動手段としての塵埃除去機構２７が細線ワイヤを上方及び下方に動かすことによって、この細線ワイヤが冷却モジュールであるフィン１７の各端縁部を滑り、これらに付着した塵埃を掻き落とすことができるようになる。
【００２９】
また、本実施形態に係る冷却装置では、ワイヤ３０へ与える押し下げ力を除荷するときに、このワイヤ３０の一端側に付随した引っ張りバネの復元力によりワイヤ３０を押し下げる板材３４を急激に下降あるいは上昇させて、この板材３４を下側ストロークエンドあるいは上側ストロークエンドに衝突させるようにしてもよい。このようにすれば、衝突によってワイヤ３０の移動の加速度が急激に変化するため、塵埃を落とすことが可能になる。
【００３０】
また、本実施形態に係る冷却装置を有する電子機器によれば、塵埃除去機構２７によって略三角形の除去作用領域の塵埃が除去されるため、塵埃による目詰まりが熱交換部１６に発生することが防止されるようになる。目詰まりが起きないため、隣り合うフィン１７の間を冷却風通路とする冷却風による熱交換の効率が低下することが防止される。ファン２３が廻っているときにフィン１７間の埃により熱い空気の排出が妨げられず、筐体２内部に高い温度の空気が閉じこめられるといった現象が生じにくくなる。
【００３１】
板材３４の移動ストロークは筐体２の厚みよりも小さい。仮に、塵埃除去機構を、線材と、この線材が面内で水平に張設されるようにしてこの線材の両端を止着してなる２箇所の固定部材と、これらの固定部材を上下方向に駆動する手段とによって構成する場合、これら２箇所の固定部材をそれぞれ上下駆動するための手段を、２箇所別々に設ける必要がある。あるいは一方を上下動させる手段と、２箇所の固定部材を連結する連結部材とを塵埃除去機構は設ける必要がある。２箇所の固定部材を駆動する手段を別々に構成すること、又は一方を駆動し連結部材を介して他方を上下動させる構成にすることを採用した場合、装置が大型化する。本実施形態に係る冷却装置では、第２ローラ３３及び板材３４が変位するストローク量は、筐体２の厚みよりも小さくされているため、厚みの小さい筐体２内に塵埃を除去する機構を実装することができるようになる。
【００３２】
筐体２内には電源部、メディア駆動装置及び記憶装置などの部品を収容するための場所を確保しなければならず、部品を設置するスペースが非常に限られている。本実施形態に係る冷却装置を有する電子機器では、熱交換部１６及びファンユニット２２間の狭い空間に、塵埃除去機構２７を設けることができる。この電子機器では、ワイヤ３０は塵埃除去機構２７が動作するとき以外、筐体２の下側に位置するようにされているため、塵埃除去機構２７を構成する部材が冷却風通路を遮ることがない。流路の圧力損失を生じさせずに、塵埃除去機構２７を狭い空間に設けることができるようになる。冷却効率を維持するために必要な空気の流量を減少させずに、熱交換部１６のクリーニングが行える。
【００３３】
例えば垂直にされた状態の棒状部材あるいは上下方向に張設された細線を埃除去用の部材として設けておき、この部材を、フィン１７の各端縁部に沿ってフィン配列方向に動かすといった機構を筐体２内に設けることは、熱交換部１６の全長方向に沿うこの部材の駆動ストローク量に十分な空間を、筐体２内で確保する必要がある。冷却風の通路を遮らずにこの空間を確保するためには、全長方向に沿った熱交換部１６のケース外先端側、ケース外基端側の２箇所にそれぞれ部材を支持する基台部を設置する必要があるが、この基台部を設置することはスペースが制約されているため不利である。水平にされた状態の棒状部材や水平方向に張設された細線を設けておき、この部材や細線を、フィン１７の各端縁部に沿って上下方向に動かす機構を筐体２内に設けることも、部材や細線を２箇所で支えるための柱状部材を設置する必要があり、この柱状部材を筐体２に設けることもスペースの制約上の理由から不利である。
【００３４】
遠心式のファン２３が用いられた場合、ファンユニット２２の構造と、ファンユニット２２及び熱交換部１６の位置関係とから、図３の熱交換部１６の右側に埃が溜まる。塵埃除去機構２７は、ワイヤ３０の一点を回動支点として支持しており、１ポイント駆動によって面上の三角領域の埃を除去しているといえる。各フィン１７のうち左側のフィン１７には埃は付かないあるいは付きにくいが、右側のフィン１７には埃が付着する。ワイヤ３０の一方が固定され他方が可動にされた状態で塵埃除去機構２７が１ポイント駆動を行うことによって、掻き出される領域の面積が大きくとれるようになる。塵埃除去用の棒状部材や細線を、この部材又は細線の両端２箇所を支持した状態で水平方向あるいは上下方向に沿って駆動するという方法と、１ポイント駆動による方法とを比べると、塵埃除去機構２７は、埃の溜まりやすい箇所を効率的に清掃することができる。
【００３５】
両端２箇所が支持された状態の棒状部材や細線を動かして、清掃対象となる端縁部を含む面の全域を覆う代わりに、この塵埃除去機構２７は、この面全域のうち、偏って埃が付着する領域の面内でワイヤ３０を動かしている。ノート型パソコンには厚みの制約があるため、埃の付いた部分についてより効率よく埃を落とすためには部材の２箇所の端点を支持して行うか、あるいは１ポイント駆動を用いて行うかの２つが考えられる。１ポイント駆動を塵埃除去機構２７が用いることによって、場所に応じて埃の付着量が異なる場合、清掃が必要な部分だけを効率的に清掃することができる。本実施形態に係る冷却装置及び電子装置は、これを熱交換部１６及びファンユニット２２間の幅狭な空間内で冷却風の流路を塞がずに、シンプルな機構で除去できるようになる。
【００３６】
上記実施形態に係る冷却装置は細線ワイヤを用いていたが、この冷却装置は、塵埃を除去するための部材としてブラシ状の部材を用いてもよい。図５はワイヤ３０の途中の部位がブラシ状にされた場合の塵埃除去機構の構成図である。同図中で同じ符号は上述した要素と同じものを表す。塵埃除去機構２７Ａは、ワイヤ３０を芯材としこの芯材の外周部分に植毛されたブラシ毛材とからなるブラシ状部位３６を有する。つまり、塵埃除去機構２７Ａはワイヤプラスブラシといった構造を有する。ブラシ毛材には埃を吸着しやすいような材質が用いられる。ブラシ状部位３６はたわし状のものを用いてもよい。このような構成により、ブラシ状部位３６がフィン１７の各端縁部を滑るあるいは掃くように動かされて、埃は掃き落とされる。なお、ワイヤ３０の途中の部位として、薄板状の部位を持つ部材が用いられてもよく、その場合、この部材を水平にした状態で薄板状部位が埃を掻き落とす又は削ぎ落とす。
【００３７】
また、塵埃除去機構２７、２７Ａは、ワイヤ３０を係止する第１固定部２８の位置を例えば図６に示すように変えてもよい。図６は、第１ローラ３１、第１固定部２８及び駆動手段の配置が図３の例とは別の配置にされた構造を有する塵埃除去機構の構成図である。上述した符号と同じ符号を有する要素はそれらと同じ要素である。第１固定部２８はフィンユニット２２からフィン１７の端縁部に向かって右方で筐体２内の下部に配置され、第１ローラ３１は各端縁部の面内で第１固定部２８の上方に配置されている。塵埃除去機構２７Ｂは、第１固定部２８、第２固定部２９、ワイヤ３０、第１ローラ３１、第２ローラ３３、この第２ローラ３３の上部に装着された板材３４、及びこの板材３４を上方の位置と下方の位置との間で上下動させる図示しない昇降機構又は摺動機構を備えている。この塵埃除去機構２７Ｂも、第２固定部２９を支点とし、第２ローラ３３を力点とし、ワイヤ３０の途中の部位を作用点とする構造を有する。
【００３８】
このような構成により、第２ローラ３３はワイヤ３０の中間部位３５に付勢力を与える。中間部位３５を力点としワイヤ３０の他端を支点とした状態で、この中間部位３５が押下げられることにより、ワイヤ３５の途中の部位が、フィン１７の端縁部側に付着する塵埃を掻き落とす。付勢力が解放されると、ワイヤ３０は元の状態に戻る。各端縁部を含む面上の略三角形の領域に付着した塵埃が除去される。
【００３９】
また、塵埃除去機構２７、２７Ａ、２７Ｂでは、板材３４が上下方向に変位するように構成されていたが、本実施形態に係る冷却装置は、この板材３４の移動をガイドするガイド部材を設けて構成することもできる。図７（ａ）はへら状の薄板をガイド部材として設けてなる塵埃除去機構２７Ｃを有する冷却装置の構成図であり、図７（ｂ）は塵埃除去機構２７Ｄを有する冷却装置の構成図である。図７では、バネ部３２の位置は適宜変えてある。ガイド部材３４ａはテンプレート状に成形されており、フィン１７の各端縁部に向かって見た場合、このガイド部材３４ａの外形は円弧状の曲線部を持つ。この外形の形状は支点及び力点間の距離が第２ローラ３３の位置によらずにほぼ一定に保たれるような形状にされている。第２ローラ３３はガイド部材３４ａの外形に沿って走行自在にされている。
【００４０】
このような構成の塵埃除去機構２７Ｃの駆動手段が板材３４を上方に動かすと、第２ローラ３３はガイド部材３４ａの外形に沿ってガイドされて、この第２ローラ３３はワイヤ３０を押上げて、又はバネ部３２に蓄積された弾性力が解放されることによりワイヤ３０が上へ動く。このワイヤ３０の動きと連動して、ワイヤ３０の途中の部位が各端縁部に付着した埃を掻く。板材３４が下方に動かされるときは、第２ローラ３３がワイヤ３０を下方に押し下げて、又はバネ部３２の復元力によりワイヤ３０が下へ動く。これにより、各端縁部に付着した埃が掻かれる。塵埃除去機構２７Ｄの動作についても塵埃除去機構２７Ｃの動作と同様である。
【００４１】
このように、弧形状のガイド部材３４ａが用いられているため、第２ローラ３３と、第２固定部２９に位置するワイヤ３０の回動中心との間の距離は一定にされたままワイヤ３０は動かされる。なお、塵埃を除去するための部材はワイヤ３０の代わりに、あるいはワイヤ３０とともにブラシ状のものや薄板を用いてもよい。また、例えば第２ローラ３３の移動軌跡がワイヤ３０の張設方向に沿って動くように構成する場合、直線状の外形を有するガイド部材が用いられる。この変形例に係る冷却装置及び電子機器によれば、薄板が用いられているため、空気の流れを邪魔せずに塵埃の除去を行える。
【００４２】
（第１の実施形態の第１変形例）
ワイヤ３０がフィン１７に接触した状態でワイヤ３０が塵埃を掻いているときに、このワイヤ３０に振動が与えられるようにしてもよい。本発明の第１の実施形態の第１変形例に係る冷却装置はワイヤ３０に振動を励起する振動励起手段を設ける。この振動励起手段の例を図８に示す。図８（ａ）は本発明の第１の実施形態の第１変形例に係る冷却装置の塵埃除去機構の要部斜視図である。図８に示される符号のうち上述した符号と同じ符号を有する要素はそれらと同じ要素である。塵埃除去機構３７は、ワイヤ３０に作動可能な状態で連結された偏心おもり３８と、偏心おもり３８に連結されてこの偏心おもり３８を回すことによりワイヤ３０を振動させるモータ３９とを備える。これらの偏心おもり３８及びモータ３９は振動励起手段である。
【００４３】
このような構成のこの変形例に係る冷却装置を収容する筐体２に取り付けられた図示しない作動ボタン類をユーザが押下すると、制御手段は動作開始信号を出力する。駆動手段がこの開始信号を通知されると、第２ローラ３３は上又は下へ動かされる。制御手段はこの動作開始信号を出力するとともに、モータ３９に対し振動開始を指令する信号を送る。偏心おもり３８が偏心回転するようにモータ３９がこれを駆動すると、ワイヤ３０は上下方向及び左右方向にそれぞれ不規則に振動する。ワイヤ３０が動いている状態でこのワイヤ３０に振動が与えられるため、塵埃はフィン１７から振り落とされるようになる。
【００４４】
フィン１７がクリーニングされた直後は、フィン１７には埃がこびり付いておらず、埃の付き始めでは埃の付着量はわずかな量である。この変形例に係る冷却装置によれば、フィン１７に塵埃がわずかに付着している場合、この塵埃を容易に落とすことができるようになる。振動励起手段は、爪状の部材を備えてもよく、この爪状の部材がワイヤ３０を引掻くことにより、冷却装置は埃を落とせる。
【００４５】
また、図８（ｂ）は本発明の第１の実施形態の第１変形例に係る別構造の冷却装置の塵埃除去機構の要部斜視図である。塵埃除去機構３７Ａは、バネ部３２の位置が図８（ａ）の例と異なる。偏芯おもり３９がモータ３８によって回されることにより、ワイヤ３０に対して強制的に振動が与えられる。ワイヤ３０が振動した状態でこのワイヤ３０が動かされるため、塵埃はフィン１７から振り落とされる。
【００４６】
この変形例に係る冷却装置及び電子機器によれば、ワイヤ３０の駆動機構に関わらず、ワイヤ３０を積極的に振動させることにより、塵埃の除去性能が向上する。塵埃除去機構３７、３７Ａがワイヤ３０を操作するときに、ワイヤ３０を振動させるので、塵埃除去能力が高められる。
【００４７】
図８において、ワイヤ３０の途中の部位はブラシ状や薄板状の部材を用いてもよい。この変形例に係る冷却装置及び電子機器によっても、略三角形の除去作用領域の塵埃が効果的に除去されるようになる。
【００４８】
（第１の実施形態の第２変形例）
冷却装置は、例えばピエゾ素子のような振動素子を取り付けられたワイヤ３０を用いて、このピエゾ素子を電圧駆動することによりワイヤ３０を振動させるようにしてもよい。図９Ａの（ａ）は本発明の第１の実施形態の第２変形例に係る冷却装置の塵埃除去機構の要部斜視図である。塵埃除去機構４０は、第２ローラ３３に固着されたピエゾ素子４１と、一端が第１ローラ３１に巻掛けられ、他端がこのピエゾ素子４１に取り付けられたワイヤ３０とを備えている。これらのワイヤ３０及びピエゾ素子４１が振動励起手段を構成する。ピエゾ素子４１には図示しない電圧印加回路が接続されており、この回路からピエゾ素子４１へ電圧が印加されると、このピエゾ端子４１は固着箇所を中心として湾曲変形し、ワイヤ３０が振動するようにされている。
【００４９】
このような構成のこの変形例に係る冷却装置を有する電子機器１の電源がオンにされたとき、制御手段は駆動手段に対して動作開始信号を出力する。制御手段は電圧印加回路に対しても駆動信号を送りピエゾ素子４１は湾曲する。ピエゾ素子４１により、ワイヤ３０にはこのワイヤ３０の長手方向に沿って強制的な振動が与えられるため、ワイヤ３０は振動した状態で駆動されて、塵埃はフィン１７から振り落とされる。この冷却装置は埃を能動的に落としている。
【００５０】
図９Ａの（ｂ）は本発明の第１の実施形態の第２変形例に係る第２の構造を有する冷却装置の塵埃除去機構の要部斜視図である。塵埃除去機構４０Ａは、図９Ａの（ａ）の例と異なる位置に、ワイヤ３０へ付勢力を与えるバネ部位が形成されている。
【００５１】
また、ピエゾ素子４１がワイヤ３０へ取り付けられる態様は図９Ｂに示す例でもよい。図９Ｂの（ａ）は本発明の第１の実施形態の第２変形例に係る第３の構造を有する冷却装置の塵埃除去機構の要部斜視図である。このピエゾ素子４１は、ワイヤ３０に当接された滑車３３ａを介してこのワイヤ３０を、上下方向成分を持つ振動方向に加振するように配置されている。このような構成の塵埃除去機構４２を有する電子機器１の電源がオンにされたとき、ピエゾ素子４１へ電圧が印加されて、このピエゾ素子４１及び滑車３３ａからなる振動励起手段は、ワイヤ３０に対し上下方向の振動を与える。ワイヤ３０は振動した状態で駆動されて、塵埃はフィン１７から振り落とされる。
【００５２】
また、この変形例に係る冷却装置の塵埃除去機構は図９Ｂの（ｂ）に示すようにしてもよい。図９Ｂの（ｂ）は本発明の第１の実施形態の第２変形例に係る第４の構造を有する冷却装置の塵埃除去機構の要部斜視図である。塵埃除去機構４２Ａは、図９Ｂの（ａ）の例と異なる位置に、ワイヤ３０へ付勢力を与えるバネ部位が形成されている。このような構成によっても、装置への電源の投入時にピエゾ素子４１が湾曲変形してワイヤ３０は駆動されながら加振されるため、塵埃が落とされる。
【００５３】
塵埃除去機構４０、４０Ａを用いた冷却装置によれば、ワイヤ３０に対しその張設方向に沿って強制振動を加えることができる。塵埃除去機構４２、４２Ａを用いた冷却装置によれば、ワイヤ３０に対しその張設方向と交差する面の方向に強制振動を加えることができる。
【００５４】
（第１の実施形態の第３変形例）
冷却装置は、筐体２内に設けられたスピーカにワイヤ３０を接続し、このスピーカからの音波によってワイヤ３０を振動させた状態で駆動してもよい。図１０は本発明の第１の実施形態の第３変形例に係る冷却装置の塵埃除去機構の要部斜視図である。塵埃除去機構４３は、筐体２に取り付けられたスピーカユニット４４を有し、ワイヤ３０の他端がこのスピーカユニット４４のケースに設けられた穴部やフックに結着あるいは係止されている。これらのスピーカユニット４４及びワイヤ３０は同じ共振周波数で振動するように、ばね定数やワイヤ部材の材料特性は決められており、ワイヤ３０の張力が調整されている。
【００５５】
このような構成のこの変形例に係る冷却装置の塵埃除去機構４３は、ノート型パソコンに搭載されているスピーカの振動をワイヤ３０に伝えることにより、ワイヤ３０を強制振動させる。ワイヤ３０に強制的な振動が与えられるため、ワイヤ３０は振動した状態で駆動されて、塵埃はフィン１７から振り落とされる。
【００５６】
この変形例に係る冷却装置を有する電子機器によれば、ワイヤ３０へ加振する手段としてスピーカユニット４４を利用することができる。また、このスピーカユニット４４から音波が放射されている間、ワイヤ３０に振動が与えられ続けるようになる。
【００５７】
（第１の実施形態の第４変形例）
冷却装置は、捻り駆動構造を有する機構を設け、この機構によりワイヤ３０を振動させてもよい。図１１（ａ）は本発明の第１の実施形態の第４変形例に係る冷却装置の塵埃除去機構の要部斜視図である。図１１（ｂ）はラックギア４６、ピニオンギア４７及びワイヤ３０を拡大して示す図である。塵埃除去機構４５は、フィン１７の端縁部を含む面と同じ面上に位置決めされた側面部を有しこの側面部上で上下方向に沿ってラック歯が形成されたラックギア４６と、これらのラック歯と噛合するピニオンが外周面に形成されたピニオンギア４７と、このピニオンギア４７の挿通穴を通されたワイヤ３０とを備えている。
【００５８】
ピニオンギア４７は一の方向周りの回転により下方へ滑動し、他の一の方向回りの回転により上方へ滑動するようになっている。つまり、この冷却装置は、ピニオンギア４７をワイヤ３０の押し下げ部品として機能させている。捻り応力がワイヤ３０に繰り返して作用するため、このワイヤ３０にはある程度の強度を要する材質又は破断しないような材質が用いられる。
【００５９】
このような構成により、ピニオンギア４７が下方に滑動すると、挿通穴がワイヤ３０を捻りながらこのピニオンギア４７は下方へ移動し、ワイヤ３０は押し下げられる。捻り駆動が冷却モジュール表面の埃を掻き取るように作用するため、埃は除去される。また、筐体２の下部までピニオンギア４７が移動した後に、このピニオンギア４７への駆動力が開放されると、ピニオンギア４７はバネの復元力によって上まで戻る。その際、ワイヤ３０は捻れが解消される方向に急激に回転するため、ワイヤ３０に付着した埃がこのワイヤ３０から分離される。
【００６０】
この変形例に係る冷却装置及び電子機器によれば、ワイヤ３０が捻られながら変位するため、塵埃をより確実に掻き取ることができるようになる。
【００６１】
また、ラックギア４６とピニオンギア４７とを用いる代わりに、この変形例に係る冷却装置は、側面部状の上下方向に沿って凹凸が形成された柱状のスライドガイドと、これらの凹凸と係合するラック歯が外周面に形成された円板とを備え、ワイヤ３０がこのスライドガイドに付勢接触するごとにワイヤ３０自身がこれらの凹凸により加振されるようにしてもよい。これによっても同等の効果を得ることができる。
【００６２】
（第１の実施形態の第５変形例）
塵埃除去機構はワイヤ３０の張力の大きさを調整する張力調整機構を設けてもよい。図１２は本発明の第１の実施形態の第５変形例に係る冷却装置の塵埃除去機構の要部斜視図である。塵埃除去機構４８は、ワイヤ３０と、このワイヤ３０に当接された滑車３３ａと、この滑車３３ａに取り付けられたピエゾ素子４１と、第２ローラ３３と、シャフトがこの第２ローラ３３の回転軸に取り付けられたモータ４９とから構成される張力調整機構を備えている。この塵埃除去機構４８では、モータ４９のシャフトが回転することによって、ワイヤ３０は巻き取られて、このワイヤ３０の張力が調整されるようになっている。このような構成のこの塵埃除去機構４８が駆動される際、ピエゾ素子４１に電圧が印加されると、このピエゾ素子４１は、ワイヤ３０を、略上下方向に加振する。これにより、ワイヤ３０が振動した状態で駆動されるため、塵埃はフィン１７から振り落とされる。
【００６３】
また、この変形例に係る冷却装置は、複数の張力調整機構を設けてもよい。図１３は複数の張力調整機構が設けられてなる塵埃除去機構４８Ａの要部斜視図である。このような構成により、各張力調整機構は、ワイヤ３０に当接した滑車３３ａによってワイヤ３０をはじくので、塵埃は振り落とされるようになる。
【００６４】
この変形例に係る冷却装置及び電子機器によれば、ワイヤ３０の張力の大きさを適切に調整したうえで、このワイヤ３０を振動駆動することができる。
【００６５】
（第２の実施形態）
本発明の第１の実施形態及びその各変形例に係る冷却装置は、ワイヤ３０を動かすためのワイヤ駆動源として小型モータやスライド機構を用いているが、このワイヤ駆動源を変えてもよい。本発明の第２の実施形態に係る冷却装置は、筐体２とディスプレイユニット５とを連結するヒンジ部６に作用する開閉動作時の力を、ワイヤ３０を動かす駆動力として伝達するようにしている。本実施形態に係る冷却装置を有する電子機器も冷却装置を有するノート型パソコンであり、第１の実施形態の電子機器１の例と同じ冷却部品を有する。
【００６６】
図１４は本実施形態に係る冷却装置の塵埃除去機構の構成図であり、ディスプレイユニット５が開いた状態の側面矢視図が示されている。上述した符号と同じ符号を有する要素はそれらと同じものを表す。塵埃除去機構５０は、ワイヤ３０と、第２ローラ３３と、板材３４と、この板材３４を昇降自在に保持し、又は板材３４を上下方向に摺動自在に保持する図示しないスライド受けと、ヒンジ部６と、このヒンジ部６の外周面に一端が止着され他端が板材３４に止着された線材５１と、この線材５１を走行自在に巻掛ける巻掛け部５２とを備えている。この巻掛け部５２は、ヒンジ軸と第２ローラ３３の回転軸と平行な回転軸を有するローラや滑車であり、筐体２の上壁に取り付けられている。巻掛け部５２は、線材５１を介して、ヒンジ部６に加えられる開閉動作時の回転駆動力を板材３４に伝達し、これによって、この板材３４を上下方向に動かす駆動力が発生するようになっている。
【００６７】
ディスプレイユニット５は、図示しないキーボードを上方から覆うように倒される全閉位置、キーボードを露出させるように起立する起立位置、及びキーボード面に対して全開姿勢をとる全開位置に亘って回動可能にされている。ヒンジ部６により、このディスプレイユニット５の筐体２に対する回動角度は、これらの全閉位置及び全開位置の間の所望の角度で係止保持可能にされている。
【００６８】
このような構成の本実施形態に係る冷却装置を有する電子機器に対し、ユーザがディスプレイユニット５を開くと、塵埃除去機構５０はヒンジ機構と連動して板材３４を上方に押上げる。これと連動してワイヤ３０の途中の部位は第２固定部２９を支点として回動し、フィン１７の各端縁部に付着した塵埃を掻き落とす。図１５はディスプレイユニット５が閉じられたときの状態の塵埃除去機構５０を示す図であり、ユーザがディスプレイユニット５を閉じると、塵埃除去機構５０はこの操作とともに板材３４を下方に下げる。これと連動してワイヤ３０の途中の部位は下方に戻されて、再度フィン１７の各端縁部に付着した塵埃を掻き落とす。このように、ヒンジ部６の回動による線材５１の巻上げ及び線材５１の巻戻しの動作と連動して可動部材が上方の位置及び下方の位置の間で変位駆動する。
【００６９】
また、この冷却装置及び電子機器はワイヤ３０に振動を与える振動励起手段を設け、ワイヤ３０がフィン１７に接触した状態で塵埃を掻いているときに、このワイヤ３０が振動するようにしてもよく、このようにすれば、付き始めの塵埃を容易に振り落とすことができるようになる。ブラシ状の部材を用いて塵埃を除去してもよい。
【００７０】
また、本実施形態に係る冷却装置及びこの冷却装置を有する電子機器によれば、各端縁部を含む面上で、支点及び力点を結ぶ線と、各フィン１７の端縁部の下端を結ぶ線と、最も右に位置するフィン１７の端縁とによって覆われる略三角形の領域に付着した塵埃が除去されるようになる。
【００７１】
本発明のこの実施形態に係る冷却装置及び電子機器によれば、ヒンジ開閉に応じてフィン１７の各端縁部を往復して掻くことができるようになる。また、板材３４の位置を変位させるための小型モータを用いずに、ワイヤ３０の途中の部位を上下動かすことができる。小型モータを使って板材３４の駆動手段を構成する場合の例と比べて、筐体２内の部品設置スペースを節約することができるようになる。
【００７２】
（第２の実施形態の第１変形例）
冷却装置は、ヒンジ部６に加えられる駆動力を巻掛け部５２に伝達する一方向クラッチを設けて構成してもよい。図１６は本発明の第２の実施形態の第１変形例に係る冷却装置の塵埃除去機構の要部分解斜視図である。塵埃除去機構５３は、第１ローラ３１の上部に当接するアーム部５４を有する一方向クラッチ５５を有する。この一方向クラッチ５５は、ヒンジ部６の外周面とこのヒンジ部６の外径側に設けられた外径側部材の内周面との間に設けられて、この外径側部材がヒンジ部６に対して一方に回転する場合にのみ、これらのヒンジ部６及び外径側部材の間での回転力の伝達を自在とするものである。ヒンジ部６の外周面と外径側部材の内周面との間で駆動力を伝達、及びこの駆動力の伝達の解除を行えるようにもされている。
【００７３】
ヒンジ部６は、コンピュータ本体部の筐体２の上面に対してディスプレイユニット５を０度から１８０度までの角度範囲に亘って開閉可能に支持している。図１６では、ディスプレイユニット５及び筐体２が二つ折りに閉じられた状態Ａと、ディスプレイユニット５が筐体２に対して起立した状態Ｂと、ディスプレイユニット５が後ろ倒しにされた状態Ｃとの３つの状態におけるディスプレイユニット５の各位置が示されている。
【００７４】
このような構成の塵埃除去機構５３は、ディスプレイユニット５が倒された状態Ｃないしは起立した状態Ｂから状態Ａになるよう閉じられている最中は、ワイヤ３０は上から下へと変位し、このワイヤ３０の途中の部位は図示しないフィン１７の各端縁部に付着した塵埃を掻き落とす。ヒンジ部６に対する開方向付勢力の規制が解除された後、状態Ａから状態Ｂないしは状態Ｃになるようディスプレイユニット５が開けられている最中は、ワイヤ３０は下から上へと変位し、これによってもフィン１７の各端縁部に付着した塵埃が掻かれる。
【００７５】
この変形例に係る冷却装置及び電子機器によれば、ワイヤ３０が上下往復することにより塵埃が掻かれるため、清掃効率が向上する。
【００７６】
（第２の実施形態の第２変形例）
冷却装置は、ヒンジ部６の回転を駆動する駆動力を生む駆動モータを、このヒンジ部６内に設けて構成してもよい。図１７は本発明の第２の実施形態の第２変形例に係る冷却装置の塵埃除去機構の要部分解斜視図である。塵埃除去機構５６は、ヒンジ部６内に設けられた小型の駆動モータ５７と、第１ローラ３１の上部に当接するアーム部５４を有する当接部材５８と、駆動モータ５７の回転をオンオフするスイッチボタン５９とを備えている。駆動モータ５７のシャフトは、ヒンジ部６の構成部品と連結されている。駆動モータ５７は、スイッチボタン５９によりオンにされると回転を開始し、スイッチボタン５９によりオフにされると回転駆動を停止するようにされている。
【００７７】
このような構成により、ユーザがスイッチボタン５９を押下すると、駆動モータ５７のシャフトはヒンジ部６の面に向かって反時計回りに回転を始める。このモータのシャフトは、開き角度が０度から起立角度に対応する回転角になるまで回転して止まる。ワイヤ３０は上から下へと動き、図示しないフィン１７の各端縁部に付着した塵埃は掻き落とされる。また、スイッチボタン５９の操作により、このシャフトが時計回りに起立角度から閉じ角度になるまで回転している間、ワイヤ３０は下から上へと動き塵埃は掻かれて、シャフトの回転は停止する。ワイヤ３０の上下運動による塵埃除去動作は、ディスプレイの開閉動作とは関係なしに、ユーザによるスイッチのオン又はオフの操作によって制御される。この変形例に係る冷却装置及び電子機器によれば、熱交換部１６に埃をつけさせないようにユーザは操作することができる。
【００７８】
この冷却装置及び電子機器では、シャフトの回転角度の位置でディスプレイユニット５の開閉の状態が変えられる。駆動モータ５７の駆動は、ディスプレイユニット５の開閉動作とは独立したものである。シャフトの回転角度の位置でこの開閉の状態を変えるために、駆動手段であるモータが設けられている。モータは例えばヒンジ機構部の中に設けられており、このモータの容積分のスペースを筐体２内に確保しないで回転駆動力を生むことができるようにされている。ワイヤ３０の上下運動によるクリーニング動作は、ディスプレイユニット５の開閉動作とは関係なしに、モータの回転又は停止の動作は、ユーザのオン又はオフの操作に連動している。駆動モータ５７がヒンジ部６に内蔵されているため、動力を伝達するための機構部品のサイズを小さくすることができる。ベルトなどの動力伝達機構用の部品を用いずに、回転力をヒンジ部６に伝達することができるようになる。この変形例に係る冷却装置及び電子機器によれば、動力伝達機構用の部品を筐体２内に設けて同じ機能を実現する場合に要する部品の点数に比べて部品の点数を大幅に減らすことができるようになる。仮にキーボードの下方に配される駆動用のモータを使って塵埃を除去する機構を構成する場合、筐体２内に部品が多数設けられているため、この駆動用のモータの容積分のスペースを筐体２内に設ける必要がある。この変形例に係る冷却装置では、ヒンジ部６の中に駆動モータ５７が内蔵されているため、筐体２内へのモータ組み込みスペースを消費せずに駆動力を発生させることができるようになる。また、この冷却装置を有する電子機器では、スイッチボタン５９をユーザが操作するだけで、フィン１７の清掃を行えるようになる。
【００７９】
また、ディスプレイユニット５が開かれたことを検知する開閉検知手段を電子機器に取り付けてもよい。この場合、ディスプレイユニット５が開いたときに駆動モータ５７が回転を開始する仕組みを実装しておき、ユーザが開く度に駆動モータ５７が駆動されるようにしておくことによって、開閉操作される度に毎回フィン１７の各端縁部が掃除されるようにもできる。
【００８０】
駆動モータ５７のスイッチングのタイミングは種々変更可能である。ユーザがスイッチ操作を行うときや、ディスプレイユニット５が開かれたとき等、タイミングを決めることができる。例えば２４時間運用されているパソコンに対しては、１日１回のタイミングで掃除動作を行わせるようにしてもよい。
【００８１】
（第３の実施形態）
冷却装置は手動機構を用いてワイヤ３０を動かすようにもできる。図１８は本発明の第３の実施形態に係る冷却装置を有する電子機器の塵埃除去機構の正面方向の斜視図である。図１９は本実施形態に係る冷却装置の塵埃除去機構の要部分解斜視図である。図２０は塵埃除去機構の構成図であり、ファンユニット２２から熱交換部１６をみたこの塵埃除去機構の矢視図である。これらの図で上述した符号と同じ符号を有する要素はそれらと同じ要素を表す。
【００８２】
電子機器１Ａの筐体２の正面左側の側壁部には、上下方向に細長い開口部６０が形成されている。ワイヤ３０はバネ部３２を有し、一端が図示しない第１固定部２８に止着され、他端が第２固定部２９に止着され、図示しない巻掛け部に巻掛けられ、これにより、張力を付与されている。ローラ部６１はワイヤ３０の中間部位に対してバネ部による弾性力及び張力に抗する付勢力を与える可動部材であり同軸状の２層構造を有する。このローラ部６１は、基軸部とこの基軸部の外周面に対して摺動自在である外装部とからなる。ローラ部６１の基軸部には棒状の押動ノブ６２の一端が取り付けられている。この押動ノブ６２の他端は開口部６０から筐体２の外へ露出している。これらのローラ部６１及び押動ノブ６２が、ローラ部６１を上下２箇所の位置の間で駆動する駆動手段として機能している。これらの第１固定部２８、第２固定部２９、巻掛け部、ワイヤ３０、ローラ部６１及び押動ノブ６２により塵埃除去機構６３が構成される。
【００８３】
このような構成の塵埃除去機構６３のローラ部６１は、通常時、ワイヤ３０のバネ部の復元力により上方に付勢されており、ローラ部６１の基軸部は開口部６０の上縁に保持されている。塵埃の除去をユーザが行うときには、ユーザは押動ノブ６２を把持し、付勢力に抗してこの押動ノブ６２を下方に押し下げる。ユーザは押動ノブ６２を、この押動ノブ６２が開口部６０の下縁に当たるまで押し下げる。ユーザの手押し力を駆動源として押動ノブ６２は開口部６０の長手方向一側縁に沿って下方に駆動される。これと連動して、ワイヤ３０の中間部位を力点としワイヤ３０の他端を支点とした状態で、この中間部位が押下げられる。ワイヤ３０の途中の部位は、第２固定部２９を支点として回動駆動されて、フィン１７の各端縁部を含む面内の略三角形の領域に付着した塵埃が除去される。ユーザが押動ノブ６２から手を離すと、押動ノブ６２へかかる手押し力が開放される。押動ノブ６２は下方から上方に向かって上昇し、上昇中にも塵埃が掻かれる。押動ノブ６２の移動は開口部６０の上縁によって規制されて停止し、通常時の状態に再び押動ノブ６２は保持される。
【００８４】
本発明のこの実施形態に係る冷却装置及び電子機器によれば、ユーザの操作により直接、塵埃除去を行えるようになる。
【００８５】
（第４の実施形態）
塵埃除去機構はワイヤ３０を巻き取るワイヤ巻き取り機構を用いてもよい。図２１は本発明の第４の実施形態に係る冷却装置の塵埃除去機構の構成図であり、ファンユニット２２から熱交換部１６をみた場合の塵埃除去機構６３が示されている。本実施形態に係る冷却装置を有する電子機器も冷却装置を有するノート型パソコンであり、第１の実施形態の電子機器１の例と同じ冷却部品を有する。第１ローラ３１は図示しないモータのシャフトに取り付けられており、モータの回転駆動によってワイヤ３０を巻き取り及び巻き取りの解除を行えるようにされている。これらの第１ローラ３１及びモータによりワイヤ巻き取り機構が構成される。
【００８６】
塵埃除去機構６３は、第２固定部２９、第１ローラ３１及びワイヤ３０を有し、更に、熱交換部１６に対して固定的に設けられ、フィン１７の各端縁部を含む面内で各フィン１７の配列方向と平行にされた略直線状の部位を有する一方向ガイド部材６４と、この一方向ガイド部材６４の略直線状の部位に沿って転動自在あるいは摺動自在にされたワイヤ固定部材６５と、このワイヤ固定部材６５の移動を規制する規制部材６６とを備えている。規制部材６６は、一方向ガイド部材６４の左端に立設されており、この規制部材６６はこのワイヤ固定部材６５の左方への移動を規制する。規制部材６６には穴が設けられており、この穴にワイヤ３０が通されている。
【００８７】
このような構成により、第１ローラ３１がワイヤ３０を巻き取るように回転駆動されると、ワイヤ固定部材６５は右に動かされて、ワイヤ３０は冷却モジュールであるフィン１７の各端縁部を滑りながら移動し、これらの端縁部に付着した塵埃は掻き落とされる。その後、第１ローラ３１によるワイヤ３０の巻き取りが解除されると、ワイヤ固定部材６５の引っ張り力が取り去られ、バネの復元力によってワイヤ固定部材６５は左方へ急激に戻る。ワイヤ固定部材６５は、左端のストロークエンドである規制部材６６に衝突し、ワイヤ３０を振動させるとともに、加速度の急激な変化によりワイヤ３０に付いていた塵埃が落とされる。
【００８８】
本発明のこの実施形態に係る冷却装置及び電子機器によれば、フィン１７の各端縁部を含む面内の略三角形の領域に付着した塵埃を除去することと、ワイヤ３０へ加振することとが両方同時に行えるようになる。
【００８９】
この冷却装置及び電子機器は振動励起手段を設けてワイヤ３０を振動させたり、ブラシ状の部材を用いて塵埃を除去してもよい。
【００９０】
（第４の実施形態の第１変形例）
ワイヤ巻き取り機構の駆動力としてヒンジ部６に加えられる開閉操作時の駆動力を用いてもよい。図２２は本発明の第４の実施形態の第１変形例に係る冷却装置の塵埃除去機構の要部分解斜視図である。塵埃除去機構６７は、第２固定部２９、第１ローラ３１、ワイヤ３０、一方向ガイド部材６４、規制部材６６、及び一方向クラッチを中間部に設けた駆動力伝達系６８、ワイヤ固定部材６５を備えており、第１ローラ３１がこの駆動力伝達系６８により回転駆動されるようになっている。駆動力伝達系６８は、ヒンジ部６の開き角度が、３６０度の全回転角度のうち、第１の回転角度と第２の回転角度との間の範囲内にある回転角度であるときにのみ駆動力を第１ローラ３１へ伝達するようにされている。
【００９１】
このような構成により、ディスプレイユニット５が倒された状態Ｃないしは起立した状態Ｂから状態Ａになるよう閉じられている最中、駆動力伝達系６８は反時計回りに回転して第１ローラ３１は時計回りに回転し、ワイヤ３０を巻き取る。これと連動してワイヤ固定部材６５は一方向に規制された状態で右方へと変位する。ワイヤ３０は上から下へ変位し、このワイヤ３０の途中の部位はフィン１７の各端縁部に付着した塵埃を掻き落とす。逆に、状態Ａから状態Ｂないしは状態Ｃになるようディスプレイユニット５が開けられている最中、駆動力伝達系６８は時計回りに回転して第１ローラ３１は反時計回りに回転する。ばねによりワイヤ固定部材６５は一方向に規制された状態で左方へと引っ張られる。これと連動してワイヤ３０は下から上へと変位し、このワイヤ３０の途中の部位はフィン１７の各端縁部に付着した塵埃を掻き落とす。３６０度中、ワイヤ巻き取りに必要な範囲のみ回転がかみ合い、このかみ合いの範囲外ではワイヤ３０はばねにより初期位置まで戻る。
【００９２】
この変形例に係る冷却装置及び電子機器によれば、ワイヤ３０が上下往復することにより塵埃が掻かれるため、清掃効率が向上する。
【００９３】
（第４の実施形態の第２変形例）
ワイヤ巻き取り機構の駆動力として、ヒンジ部６内に設けられた駆動モータを用いてもよい。図２３は本発明の第４の実施形態の第２変形例に係る冷却装置の塵埃除去機構の要部分解斜視図である。塵埃除去機構６９は、ヒンジ部６、第２固定部２９、第１ローラ３１、ワイヤ３０、一方向ガイド部材６４、ワイヤ固定部材６５、規制部材６６、ローラ７０及びヒンジ部６内に設けられた小型の駆動モータ５７を備えている。このローラ７０の回転軸は第１ローラ３１の回転軸と平行にされており、駆動モータ５７がローラ７０を回転駆動し、このローラ７０が第１ローラ３１を回転駆動するようになっている。
【００９４】
このような構成により、ユーザがスイッチボタン５９を押下すると、図示しない制御手段は駆動モータ５７を回転させる。図２２の例と同じようにして、ワイヤ３０の途中の部位がフィン１７の各端縁部に付着した塵埃を掻き落とす。駆動モータ５７がヒンジ部６に内蔵されているため、動力を伝達するための機構部品のサイズを小さくすることができる。
【００９５】
（第４の実施形態の第３変形例）
ワイヤ巻き取り機構の駆動力として手動機構を用いてもよい。図２４は本発明の第４の実施形態の第３変形例に係る冷却装置の塵埃除去機構の要部分解斜視図である。塵埃除去機構７１は、第２固定部２９、第１ローラ３１、ワイヤ３０、一方向ガイド部材６４、ワイヤ固定部材６５、規制部材６６、駆動力伝達系６８、及び、開口部６０ａを中から外へ露出した回転ノブ７２とを備えている。回転ノブ７２は、駆動力伝達系６８に連結されて連動し、この回転ノブ７２が操作されることによって回転駆動力が駆動力伝達系６８に伝達されるようになっている。駆動力伝達系６８は一方向クラッチを有し、この一方向クラッチによって回転ノブ７２の逆回転が規制されている。
【００９６】
このような構成により、ユーザが回転ノブ７２を回転操作すると、図１８から図２０に示す例と同じようにして、ワイヤ３０の途中の部位がフィン１７の各端縁部に付着した塵埃を掻き落とす。この変形例に係る冷却装置及び電子機器によれば、ユーザの回転ノブ７２の手動回転力を駆動力として使うことによっても塵埃を除去することができるようになる。
【００９７】
（第５の実施形態）
電子機器は、冷却装置の冷却性能の低下を検知する手段を設けておき、冷却性能が低下した場合にその旨の警報を出力するようにしてもよい。本発明の第５の実施形態に係る電子機器も冷却装置を有するノート型パソコンであり、第１の実施形態の電子機器１の例と同じ冷却部品を有する。
【００９８】
この電子機器は、それぞれプリント基板７上の複数の箇所に設けられて温度情報を出力する複数の温度センサと、正常時のこれらの箇所における温度情報を記憶するメモリと、これらの温度センサからの出力に基づき基板上の例えば２箇所における温度の差を計算し、計算により得た温度差と、正常時における同じ２箇所間での温度の差とを比較して、同じ２箇所間での温度差が決められた値よりも大きいかどうかを検知する検知手段と、検知手段により温度差が大きいと検知された場合、これらの２箇所のうちの一方が発熱していると判断して、冷却性能の低下のワーニングを出力する制御手段とを備えている。
【００９９】
この温度差のパターンを用いた異常の検知方法は、空気流の閉塞状態と、定常状態とでは基板上の特定の２箇所の温度差、あるいは筐体２内の複数の箇所における温度差のパターンが変わることを利用した方法である。制御手段は、各温度センサから得た温度情報に基づいて、各温度センサ間の温度差を計算し、温度差あるいは温度差パターンの変化に基づいて、冷却装置が閉塞状態であるか定常状態であるかを判別する。
【０１００】
このような構成により、制御手段は、決められた時間、筐体２内の複数の箇所における温度差のパターンを監視する。図２５は本発明の第５の実施形態に係る冷却装置の冷却性能の低下を診断する機能を説明するためのフローチャートである。ステップＴ１において、制御手段は冷却性能の低下が生じているかどうかを検知する処理を行う。例えばフィン１７の各端縁部に埃が溜まると、熱交換部１６の近辺に設けた温度センサからの温度情報によって制御手段は、この近辺の温度差がそこ以外の箇所の温度差よりも大きいことを検知する。
【０１０１】
ステップＴ１において、制御手段は異常を検知しない間は非検知と付されたルートを通り、検知処理を続ける。ステップＴ１にて制御手段は異常を検知すると、検知と付されたルートを通り、ステップＴ２においてワーニングを出力する。ステップＴ３において、制御手段は、塵埃除去機構に対し、駆動を指令して、フィン１７の各端縁部に付着した塵埃を除去する動作をこの塵埃除去機構に行わせる。このステップＴ３においては、塵埃除去機構は、ワイヤ３０を動かす、ワイヤ３０を振動させる、又はワイヤ３０を振動させながら動かすようにして塵埃を除去する。
【０１０２】
本発明のこの実施形態に係る冷却装置及び電子機器によれば、筐体２内に溜まった埃により冷却性能が低下したかどうかを検知できるようになり、検知された場合、自動的に埃を除去できるようになる。
【０１０３】
（第５の実施形態の変形例）
また、本発明の第５の実施形態に係る電子機器は、ファン２３への入力信号の電流値と、このファン２３の回転数との関係を記憶するメモリと、ファン２３の回転数を常時モニタすることによりファン２３の駆動状況をモニタする制御手段とを備えて構成されてもよい。このような構成によって、制御手段は、ファン２３への入力信号の電流値に対して、ファン２３が適正な値の回転数で動作しているかどうかを判定し、この回転数が閾値を超えた場合、ファン２３の回転状況が異常であると判断して、冷却性能の低下のワーニングを出力する。あるいは、制御手段は、ファンの回転数が異常に高くなることを検知する。
【０１０４】
また、本発明の第５の実施形態に係る冷却装置は、ワイヤ３０など筐体２内に設けられた部材を用いて、冷却性能の低下診断をする機能を設けることもできる。一例として、ワイヤ３０に塵埃が多量に付着した場合、ワイヤ３０の温度が上昇するため、ワイヤ３０の金属の電気抵抗値やバネ力が変わる。制御手段が、この電気抵抗値やバネ力の大きさを検知するようにして、冷却性能の低下診断を行う。この機能を実現するためには、冷却装置はワイヤ３０の電気的な抵抗値を計測する手段を設ける。制御手段が、この抵抗値が予め保持した閾値を超えたと判定した場合、ワイヤ３０に多くの量の埃が付着したことを検知し、塵埃除去機構を作動させる。
【０１０５】
（他の実施例）
複数枚のフィン１７の形状やこれらのフィン１７を配列する位置などは種々変更可能であり、本発明の実施の形態に係る冷却装置は、これらの形状や配列の位置が異なるフィンを設けた熱交換部に対しても、上記した方法と同じ方法により、フィンに付いた塵埃を除去する。
【０１０６】
本発明の実施の形態に係る冷却装置は、フィンを設けていない構造の熱交換器を冷却することもできる。この冷却装置は、遠心式のファンと、フィンを有しない熱交換器と、この熱交換器にファンからの冷却風を当てる送風通路を持つファンケースと、塵埃除去機構とを備え、この塵埃除去機構が、熱交換器に偏って付着した塵埃を掻き取る。熱交換器を成す部品の形状がパイプ状や箱状などである場合、この熱交換器の冷却風流入口は冷却風を吹き当てられる表面部である。熱交換器が複数枚の放熱板を持つ場合、又は熱交換器がひれ状、凹凸状若しくは溝状の部位を放熱部位として持つ場合、熱交換器の冷却風流入口とは、冷却風の流路に位置する放熱板又はひれ状、凹凸状若しくは溝状の部位を指す。このように構成しても、塵埃除去機構は熱交換器に付いた埃を除去することができ、冷却装置及び電子機器は上述した効果と同じ効果が得られる。
【０１０７】
上記の実施形態では、塵埃除去機構が熱交換部１６を冷却するように構成されていたが、本発明の実施の形態に係る冷却装置は、熱交換部１６以外の被冷却部品を冷却することができる。塵埃除去機構が、熱交換部１６とは別の熱拡散部材や放熱部材といった被冷却部品を冷却するように、この冷却装置は構成されてもよい。例えば半導体チップそのものや、これに熱的に接続されたヒートパイプ１１に取り付けられた部材など、多数の被冷却部品が筐体内には設けられている。この被冷却部品とファンユニットとの間には隙間があり、この隙間や被冷却部品の表面部に塵埃が付着する。この塵埃を上述したワイヤ３０の変位駆動により塵埃除去機構が掻き取る。上記の各実施形態での説明は、この被冷却部品ないしは冷却対象部品が、フィン１７付き熱交換部１６である場合の例である。塵埃除去機構は、フィン１７を有しない熱交換部や、熱拡散部材、放熱部材、熱移送部材などの被冷却部品に付着した埃を、略三角形状の領域を掃く例と同じようにして掃く。電子機器内に冷却を要する部材は筐体内に必ず存在するため、この部材の表面部に、ファンの回転によって偏って塵埃が付着した場合、塵埃除去機構は、上記と同じようにして表面部に付いた塵埃を掻き取る。
【０１０８】
尚、本発明は上記実施形態そのままに限定されるものではなく、実施段階ではその要旨を逸脱しない範囲で構成要素を変形して具体化できる。
【０１０９】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１０】
【図１】本発明の第１の実施形態に係る電子機器内に設けられる塵埃除去機構の正面方向の斜視図である。
【図２】本発明の第１の実施形態に係る冷却装置と基板上の半導体パッケージが設けられる部分との斜視図である。
【図３】本発明の第１の実施形態に係る冷却装置の塵埃除去機構の構成図である。
【図４】本発明の第１の実施形態に係る冷却装置の塵埃除去機構の作動のタイミングを説明するためのフローチャートである。
【図５】ワイヤの途中の部位がブラシ状にされた場合の塵埃除去機構の構成図である。
【図６】第１ローラ、第１固定部及び駆動手段の配置が図３の例とは別の配置にされた構造の塵埃除去機構の構成図である。
【図７】（ａ）はへら状の薄板をガイド部材として設けてなる塵埃除去機構を有する冷却装置の構成図であり、（ｂ）は塵埃除去機構を有する冷却装置の構成図である。
【図８】（ａ）は本発明の第１の実施形態の第１変形例に係る冷却装置の塵埃除去機構の要部斜視図であり、（ｂ）は本発明の第１の実施形態の第１変形例に係る別構造の冷却装置の塵埃除去機構の要部斜視図である。
【図９Ａ】本発明の第１の実施形態の第２変形例に係る冷却装置の塵埃除去機構の要部斜視図である。
【図９Ｂ】本発明の第１の実施形態の第２変形例に係る冷却装置の別の塵埃除去機構の要部斜視図である。
【図１０】本発明の第１の実施形態の第３変形例に係る冷却装置の塵埃除去機構の要部斜視図である。
【図１１】（ａ）は本発明の第１の実施形態の第４変形例に係る冷却装置の塵埃除去機構の要部斜視図である。（ｂ）はラックギア、ピニオンギア及びワイヤを拡大して示す図である。
【図１２】本発明の第１の実施形態の第５変形例に係る冷却装置の塵埃除去機構の要部斜視図である。
【図１３】本発明の第１の実施形態の第５変形例に係る冷却装置の複数の張力調整機構が設けられてなる塵埃除去機構の要部斜視図である。
【図１４】本発明の第２の実施形態に係る冷却装置を有する電子機器の塵埃除去機構の構成図である。
【図１５】本発明の第２の実施形態に係る冷却装置を有する電子機器のディスプレイユニットが閉じられたときの状態を示す図である。
【図１６】本発明の第２の実施形態の第１変形例に係る冷却装置の塵埃除去機構の要部分解斜視図である。
【図１７】本発明の第２の実施形態の第２変形例に係る冷却装置の塵埃除去機構の要部分解斜視図である。
【図１８】本発明の第３の実施形態に係る冷却装置を有する電子機器の塵埃除去機構の正面方向の斜視図である。
【図１９】本発明の第３の実施形態に係る冷却装置の塵埃除去機構の要部分解斜視図である。
【図２０】本発明の第３の実施形態に係る冷却装置の塵埃除去機構の構成図である。
【図２１】本発明の第４の実施形態に係る冷却装置の塵埃除去機構の構成図である。
【図２２】本発明の第４の実施形態の第１変形例に係る冷却装置の塵埃除去機構の要部分解斜視図である。
【図２３】本発明の第４の実施形態の第２変形例に係る冷却装置の塵埃除去機構の要部分解斜視図である。
【図２４】本発明の第４の実施形態の第３変形例に係る冷却装置の塵埃除去機構の要部分解斜視図である。
【図２５】本発明の第５の実施形態に係る冷却装置の冷却性能の低下を診断する機能を説明するためのフローチャートである。
【図２６】熱交換部とファンユニットとを上面視した場合のこれらと送風通路との位置関係を示す図である。
【符号の説明】
【０１１１】
１、１Ａ…電子機器、２…筐体、３…ディスプレイハウジング、４…ディスプレイ、５…ディスプレイユニット、６…ヒンジ部、７…プリント基板、８…半導体パッケージ、９…ヒートスプレッダ、１０…溝、１１…ヒートパイプ、１２…押さえ板、１３…板バネ部、１４…支持部、１５…ネジ穴、１６…熱交換部（熱交換器）、１７…フィン（熱交換器）、１８…ケース、１９…開口部、２０…筐体側面部、２１…排気口、２２…ファンユニット、２３…ファン、２４…ファンケース、２５…吐出口の近傍、２６…塵埃が溜まりやすい箇所、２７、２７Ａ、３７、３７Ａ、４０、４０Ａ、４２、４２Ａ、４３、４５、４８、４８Ａ、５０、５３、５６、６３、６７、６９、７１…塵埃除去機構（ワイヤ駆動手段）、２８…第１固定部、２９…第２固定部、３０…ワイヤ、３１…第１ローラ、３２…バネ部、３３…第２ローラ、３３ａ…滑車、３４…板材、３４ａ…ガイド部材、３５…中間部位、３６…ブラシ状部位、３８…偏心おもり、３９…モータ、４１…ピエゾ素子、４４…スピーカユニット、４６…ラックギア、４７…ピニオンギア、４９…モータ、５１…線材、５２…巻掛け部、５４…アーム部、５５…一方向クラッチ、５７…駆動モータ、５８…当接部材、５９…スイッチボタン、６０，６０ａ…開口部、６１…ローラ部、６２…手動ノブ、６４…一方向ガイド部材、６５…ワイヤ固定部材、６６…規制部材、６８…駆動力伝達系、７０…ローラ、７２…回転ノブ。
【図１】
0004929214.tif 000002
【図２】
0004929214.tif 000003
【図３】
0004929214.tif 000004
【図４】
0004929214.tif 000005
【図５】
0004929214.tif 000006
【図６】
0004929214.tif 000007
【図７】
0004929214.tif 000008
【図８】
0004929214.tif 000009
【図９Ａ】
0004929214.tif 000010
【図９Ｂ】
0004929214.tif 000011
【図１０】
0004929214.tif 000012
【図１１】
0004929214.tif 000013
【図１２】
0004929214.tif 000014
【図１３】
0004929214.tif 000015
【図１４】
0004929214.tif 000016
【図１５】
0004929214.tif 000017
【図１６】
0004929214.tif 000018
【図１７】
0004929214.tif 000019
【図１８】
0004929214.tif 000020
【図１９】
0004929214.tif 000021
【図２０】
0004929214.tif 000022
【図２１】
0004929214.tif 000023
【図２２】
0004929214.tif 000024
【図２３】
0004929214.tif 000025
【図２４】
0004929214.tif 000026
【図２５】
0004929214.tif 000027
【図２６】
0004929214.tif 000028